(57)【要約】【課題】  ランプからの光によるランプハウスの温度上昇を抑制することが可能な光源装置を提供する。【解決手段】  ６面体である直方体形状のランプハウス２は、その内面の６面の全てに凹凸部材３１を配設するとともに、その外面に凹凸部材３３を配設した構成を有する。凹凸部材３１は、ヒートシンク等と呼称されるものであり、アルミニウムを加工した後、その表面に対して黒アルマイト処理を施したものである。この凹凸部材３１に形成された凸部は、キセノンランプ１の長手方向と直交する方向に延設されている。【選択図】        図１
2020017476.tif 000002
【特許請求の範囲】
【請求項１】
ランプと、前記ランプを囲むとともに前記ランプから出射される光の取出口を備えたランプハウスと、を備えた光源装置において、
前記ランプハウスの内面に、複数の凸部と凹部とが連続して形成され前記凸部の先端が前記ランプの方向を向く凹凸部材を配設したことを特徴とする光源装置。
【請求項２】
請求項１に記載の光源装置において、
前記凸部は、前記ランプの長手方向と交差する方向に延設される光源装置。
【請求項３】
請求項２に記載の光源装置において、
前記凸部の高さをＨとし、前記凸部間の間隔をＤとしたときに、Ｈ＞２Ｄである光源装置。
【請求項４】
請求項１から請求項３のいずれかに記載の光源装置において、
前記凹凸部材は、アルミニウムに対して黒アルマイト処理を施した材料から構成される光源装置。
【発明の詳細な説明】
【技術分野】
【０００１】
ランプと、このランプを囲むとともにランプから出射される光の取出口を備えたランプハウスと、を備えた光源装置に関する。
【背景技術】
【０００２】
このような光源装置においては、例えば、キセノン（Ｘｅ）ランプが使用され、このランプからの光が外部に漏れることを防止するため、ランプを光密構造のランプハウスにより覆う構成が採用されている。一方、このような光源装置においては、ランプの点灯を継続するに従い、ランプからの発熱によりランプハウス自体の温度が高温となる。このため、このような光源装置においては、ランプハウスを空冷機構により冷却する冷却機構が付設されている（特許文献１参照）。
【先行技術文献】
【特許文献】
【０００３】
【特許文献１】特開２００７−１４０１６０号公報
【発明の概要】
【発明が解決しようとする課題】
【０００４】
このように、従来の光源装置においては、ランプハウスを空冷により冷却しているが、ランプハウスをコンパクトに構成するほど、ランプハウス内の光の反射により、ランプハウスの温度上昇が顕著となる。そして、ランプハウスの温度上昇に伴って、ランプ自体も加熱される。ランプが加熱された場合には、ランプを構成するガラス球部分と口金部分の線膨張係数の差からガラス球と口金との間に隙間が生じ、内部のガス（キセノンランプの場合にはキセノンガス）が漏洩する等の障害が生ずる。
【０００５】
また、ランプハウス内壁における光の反射を抑制するため、内壁を黒色にすることも考えられるが、光源装置を長時間使用した場合には、退色が生じ、反射抑制効果が減少することになる。
【０００６】
この発明は上記課題を解決するためになされたものであり、ランプからの光によるランプハウスの温度上昇を抑制することが可能な光源装置を提供することを目的とする。
【課題を解決するための手段】
【０００７】
請求項１に記載の発明は、ランプと、前記ランプを囲むとともに前記ランプから出射される光の取出口を備えたランプハウスと、を備えた光源装置において、前記ランプハウスの内面に、複数の凸部と凹部とが連続して形成され前記凸部の先端が前記ランプの方向を向く凹凸部材を配設したことを特徴とする。
【０００８】
請求項２に記載の発明は、請求項１に記載の発明において、前記凸部は、前記ランプの長手方向と交差する方向に延設される。
【０００９】
請求項３に記載の発明は、請求項２に記載の発明において、前記凸部の高さをＨとし、前記凸部間の間隔をＤとしたときに、Ｈ＞２Ｄである。
【００１０】
請求項４に記載の発明は、請求項１から請求項３のいずれかに記載の発明において、前記凹凸部材は、アルミニウムに対して黒アルマイト処理を施した材料から構成される。
【発明の効果】
【００１１】
請求項１から請求項３に記載の発明によれば、凹凸部材の作用により、ランプからの光によるランプハウスの温度上昇を抑制することが可能となる。
【００１２】
請求項４に記載の発明によれば、凹凸部材の表面における光の反射を防止して、ランプハウスの温度上昇をより効果的に抑制することが可能となる。
【図面の簡単な説明】
【００１３】
【図１】この発明に係る光源装置の概要図である。
【図２】凹凸部材３１を、図１における矢印Ａ方向から見た図である。
【図３】凹凸部材３３を、図１における矢印Ｂ方向から見た図である。
【図４】凹凸部材３１の部分拡大図である。
【発明を実施するための形態】
【００１４】
以下、この発明の実施の形態を図面に基づいて説明する。図１は、この発明に係る光源装置の概要図である。図２は、凹凸部材３１を、図１における矢印Ａ方向から見た図である。図３は、凹凸部材３３を、図１における矢印Ｂ方向から見た図である。
【００１５】
この光源装置は、例えば、分光光度計等の分析装置に使用されるものである。この光源装置から出射した光は、分光器で所定の波長とされ、フィルターを通過させて単色光となった後に、分光光度計等の分析装置において分析対象物に照射される。
【００１６】
この光源装置は、キセノンランプ１と、このキセノンランプ１を囲う直方体形状のランプハウス２と、一対の凹面鏡４１、４２とを備える。
【００１７】
キセノンランプ１は、内部にキセノンガスが充填されたガラス球１１と、このガラス球１１の両端に配設された口金１２、１３とを備え、長手方向を上下方向としてランプハウス２内に配設される。キセノンランプ１の下側の口金１３は、ランプハウス２の底面に配設された金属ブロック１４により支持され、電源と導通されている。また、キセノンランプ１の上側の口金１２は、導線１５を介して電源と導通されている。
【００１８】
６面体である直方体形状のランプハウス２は、その内面の６面の全てに凹凸部材３１を配設するとともに、その外面に凹凸部材３３を配設した構成を有する。このランプハウス２には、互いに対向する面に、一対の光の取出口２１、２２が形成されている。なお、図２に示すように、６個の凹凸部材３１のうち光の取出口２１、２２が形成された面に配設される凹凸部材３１には、ランプハウス２における光の取出口２１、２２に対応する開口部３２が形成されている。また、図３に示すように、ランプハウス２の外面に配設された凹凸部材３３にも、ランプハウス２における光の取出口２１、２２に対応する開口部３４が形成されている。
【００１９】
キセノンランプ１から照射され、光の取出口２１から外部に出射した光は、凹面鏡４２に到達する。また、キセノンランプ１から照射され、光の取出口２２から出射した光は、凹面鏡４１で反射された後、光の取出口２１を介して凹面鏡４２に到達する。凹面鏡４２はランプハウス２から出射する光の光軸に対して傾斜配置されていることから、凹面鏡４２に到達した光は、ランプハウス２から出射する光の光軸から９０度変位した方向（図１における紙面に垂直な方向）に偏向される。
【００２０】
なお、ランプハウス２に対しては、図示しないファンにより、図１において矢印で示すように、上昇風が供給される。この上昇風は、凹凸部材３３に沿って上昇し、凹凸部材３３を介してランプハウス２を冷却する。
【００２１】
図４は、凹凸部材３１の部分拡大図である。なお、凹凸部材３３も、この凹凸部材３１と同様の構成を有する。
【００２２】
この凹凸部材３１は、ヒートシンク等と呼称されるものであり、アルミニウムを加工した後、その表面に対して黒アルマイト処理を施したものである。なお、アルマイト処理（陽極酸化処理）とは、アルミニウムを陽極で電解処理して人工的に酸化皮膜（アルミの酸化物）を生成させる表面処理であり、黒アルマイト処理とは、アルマイト処理後に黒色の染料にて黒色にする処理である。
【００２３】
なお、凹凸部材３１の材質としては、アルミニウムの他、熱伝導性のよいその他の金属を使用することができる。
【００２４】
この凹凸部材３１に形成された凸部３５は、キセノンランプ１の長手方向（図１に示す上下方向）と直交する方向に延設されている。図４に示すように、この凸部３５の高さをＨ、厚みをＴ、間隔をＤとしたとき、例えば、高さＨは５ミリメートルであり、厚みＴは０．４ミリメートルであり、間隔Ｄは２ミリメートルである。
【００２５】
このとき、高さＨが間隔Ｄの倍以上、すなわち、Ｈ＞２Ｄであることが好ましく、間隔Ｄが厚みＴの３倍以上、すなわち、Ｄ＞３Ｔであることが好ましい。このような構成とすることにより、凸部３５間の領域に入射した光が、反射により再度凸部３５間から出射することを抑制することができる。なお、厚みＴは、先端領域での光の反射を防止するため、小さいほど好ましいが、この厚みＴを過度に小さくすると、凹凸の加工が難しく、また、凸部３５が破損し易くなるという問題がある。
【００２６】
このような凹凸部材３１に対してキセノンランプ１から出射された光が入射した場合には、この光の大部分は凸部３５間の領域において捕獲（トラップ）され、熱エネルギーに変換される。このため、ランプハウス２内での光の反射が抑制され、キセノンランプ１およびランプハウス２の温度上昇を抑制することが可能となる。
【００２７】
以上のような構成を有する光源装置においては、キセノンランプ１から出射され、光の取出口２１、２２から外部に出射した光は、凹面鏡４１、４２により所定の方向に偏向される。一方、光の取出口２１、２２から外部に出射した光以外の光は、凹凸部材３１により捕獲され、熱エネルギーに変換される。これにより、凹凸部材３１は昇温するが、この熱エネルギーは、ランプハウス２を介して、ランプハウス２の外側に配設された凹凸部材３３に伝達される。そして、この凹凸部材３３は、ランプハウス２に向かう上昇風により冷却される。このため、ランプハウス２の温度上昇を抑制することが可能となる。
【００２８】
なお、上述した実施形態においては、ランプとしてキセノンランプ１を使用しているが、ハロゲンランプ等のその他のランプを使用してもよい。
【００２９】
また、上述した実施形態においては、図１および図２に示すように、凹凸部材３１として凸部３５が密に配置されたものについて説明したが、周辺部においては凸部３５が粗に配置された凹凸部材を使用してもよい。
【符号の説明】
【００３０】
１      キセノンランプ
２      ランプハウス
１１    ガラス球
１２    口金
１３    口金
２１    光の取出口
２２    光の取出口
３１    凹凸部材
３２    開口部
３３    凹凸部材
３４    開口部
３５    凸部
４１    凹面鏡
４２    凹面鏡
【図１】
2020017476.tif 000003
【図２】
2020017476.tif 000004
【図３】
2020017476.tif 000005
【図４】
2020017476.tif 000006